(57)【要約】      （修正有）【課題】近年、冷蔵庫の大容量化が進んで外形サイズが大きくなり、キャビネットの幅寸法が大きくなってきている。冷蔵庫を前後に倒す従来のやり方では、階段のような狭い場所の運搬が困難な場合があるため、左右に倒して運搬ができる冷蔵庫を提供する。【解決手段】冷蔵庫１０のキャビネット１２の底面の前部に設けられた左右一対の前脚３０，３０と、前記底面の後部で、かつ、前記底面の左右方向の中心より側方に設けられた後手かけ部４８とを有する。【選択図】図１
2012057895.tif 000002
【特許請求の範囲】
【請求項１】
冷蔵庫の本体の底面の前部に設けられた左右一対の前脚と、
前記底面の後部で、かつ、前記底面の左右方向の中心より側方に設けられた後手かけ部と、
を有することを特徴とする冷蔵庫。
【請求項２】
左右一対の前記前脚の間に設けられた複数の前手かけ部をさらに有し、
前記後手かけ部が、前記前手かけ部より側方に設けられている、
ことを特徴とする請求項１に記載の冷蔵庫。
【請求項３】
前記後手かけ部が溝状であって、
前記溝が奥に行くほど側方に傾斜している、
ことを特徴とする請求項１又は２に記載の冷蔵庫。
【請求項４】
前記本体の前記底面の後部が、コンプレッサを支持するコンプレッサ台によって形成され、
前記後手かけ部が前記コンプレッサ台に設けられ、かつ、前記後手かけ部が、前記コンプレッサ台とは別の部材で形成されている、
ことを特徴とする請求項１乃至３のいずれか一項に記載の冷蔵庫。
【請求項５】
前記後手かけ部が溝状であって、前記後手かけ部の下端部が前記コンプレッサ台より下方に突出し、かつ、前記後手かけ部の上端部が前記コンプレッサ台より上方に突出している、
ことを特徴とする請求項４に記載の冷蔵庫。
【発明の詳細な説明】
【技術分野】
【０００１】
本発明の実施形態は、冷蔵庫に関するものである。
【背景技術】
【０００２】
冷蔵庫を設置したり移動するために、冷蔵庫を階段等の段差がある場所を移動させる場合があり、このとき作業者が冷蔵庫を持ち上げて運ぶ必要がある。そのため、従来より冷蔵庫のキャビネットの底面の前端部及び背面の上端部に作業者が手をかけるための手かけ部がそれぞれ設けられている。そして、作業者は冷蔵庫を前後に倒し（例えば、キャビネットの前面を上にして倒し）、前記手かけ部に手をかけて運んでいた。
【先行技術文献】
【特許文献】
【０００３】
【特許文献１】特許第３４９７０３７号公報
【特許文献１】特許第３５５２３９２号公報
【発明の概要】
【発明が解決しようとする課題】
【０００４】
しかし、近年、冷蔵庫の大容量化が進んで外形サイズが大きくなり、キャビネットの幅寸法が大きくなってきている。そのため、冷蔵庫を前後に倒しただけでは、階段のような狭い場所の運搬が困難な場合があるという問題点があった。
【０００５】
そこで、本発明は上記問題点に鑑み、左右に倒して運搬ができる冷蔵庫を提供することを目的とする。
【課題を解決するための手段】
【０００６】
本発明の実施形態は、冷蔵庫の本体の底面の前部に設けられた左右一対の前脚と、前記底面の後部で、かつ、前記底面の左右方向の中心より側方に設けられた後手かけ部と、を有することを特徴とする冷蔵庫である。
【図面の簡単な説明】
【０００７】
【図１】本発明の一実施例を示す冷蔵庫の背面下方から見た斜視図である。
【図２】キャビネットの底面から見た拡大斜視図である。
【図３】冷蔵庫の下部の側面図である。
【図４】後手かけ部をコンプ台に取り付けた状態の縦断面図である。
【図５】後手かけ部の正面から見た斜視図である。
【図６】後手かけ部の背面から見た斜視図である。
【発明を実施するための形態】
【０００８】
以下、本発明の一実施例の冷蔵庫１０について、図１〜図６に基づいて説明する。
【０００９】
（１）冷蔵庫１０の構造
図１は、本実施例の冷蔵庫１０を左右に倒して、その背面下方から見た斜視図である。なお、２点鎖線でこの冷蔵庫１０を運搬する２人の作業者を描いてる。
【００１０】
図１に示すように、冷蔵庫１０のキャビネット１２は、外箱と内箱を組み合わせ、外箱と内箱の間に断熱材が配されている。このキャビネット１２は、上段から冷蔵室１４、野菜室１６、切替室１８、冷凍室２０が配され、切替室１８の左側には不図示の製氷室が配されている。また、冷凍室２０の後方には、機械室２２が設けられている。
【００１１】
冷蔵室１４前面には、観音開き式の扉１４ａが配され、野菜室１６、切替室１８、冷凍室２０の前面にも、引出し式の扉１６ａ、１８ａ、２０ａがそれぞれ配されている。
【００１２】
機械室２２内部には、図３に示すように、コンプレッサ２４が配され、それ以外に不図示ではあるが、冷凍サイクルに必要なコンデンサ、放熱ファン、蒸発皿などが機械室２２内部に配されている。機械室２２の底面は、キャビネット１２の底面とは別体の金属製のコンプレッサ台（以下、単に「コンプ台」という）２６によって形成され、コンプ台に前記したコンプレッサ２４などが設置されている。コンプ台２６は、キャビネット１２の後部背面にネジによって固定されている。また、機械室２２の背面は、金属製の背面板２８によって覆われている。なお、冷蔵庫１０の本体とは、キャビネット１２にコンプ台２６を取り付けた状態を意味し、本体の底面とは、キャビネット１２の底面とコンプ台２６とを合わせた底部をいう。
【００１３】
キャビネット１２の底面前端部における左右両端部には、左右一対の前脚３０，３０がネジ止めされている。前脚３０は、図２の拡大図に示すように、金属製の固定板３２の両側部から左右一対の支持板３４，３４がそれぞれ突設し、これら左右一対の支持板３４，３４の間に前キャスター（前車輪）３６が、左右一対の支持板３４，３４の間に架設された軸３８を中心に回転自在に取り付けられている。また、前キャスター３６の前方には、冷蔵庫１０を設置した場合に、床に固定するための支持脚４０が設けられている。支持脚４０の上端部には雄ネジが設けられ、この雄ネジが前脚３０の固定板３２に螺合することにより、支持脚４０の高さを調整できる。
【００１４】
左右一対の前脚３０の間であって、キャビネット１２の底面の前端部には、左右一対の合成樹脂製の前手かけ部４２，４２が設けられている。この前手かけ部４２は、図２に示すように、額縁状であって、その額縁の中には左右方向に沿って延びる凹部４４が形成され、この凹部４４に作業者の指を入れることができる。
【００１５】
コンプ台２６の後部における左右両側部には、後キャスター（車輪）４６が取り付けられている。
【００１６】
コンプ台２６の前部、即ち本体の底面の前後方向の中心よりも後方であって、かつ、左側の前手かけ部４２よりも左側方に、後手かけ部４８が１個設けられている。後手かけ部４８については後から詳しく説明する。
【００１７】
図１に示すように、キャビネット１２の背面上端部における左右両端部には、横方向に左右一対の上手かけ部５０，５０が設けられている。この上手かけ部５０は、左右一対の突部５２，５２の間に、横方向に棒状のつかみ部５４が取り付けられている。
【００１８】
（２）後手かけ部４８の構造
次に、後手かけ部４８の構造について図４〜図６に基づいて説明する。
【００１９】
図４は後手かけ部４８の縦断面図であり、図５は後手かけ部４８の正面から見た斜視図であり、図６は背面から見た斜視図である。
【００２０】
合成樹脂製の後手かけ部４８の基板５６は、ほぼ四角形であるが、一辺のみ斜めに切断され、五角形の形状を有している。基板５６のほぼ中央部には、上方に向かって、かつ、前後方向に沿って手かけ用突出部５７が突出し、また、手かけ用突出部５７の下部からは、膨出部５９が下方に膨出している。膨出部５９と基板５６とには、複数の７６が形成されている。手かけ用突出部５７の内側と膨出部５９の内側とが連続して、手かけ用の溝５８が形成されている。手かけ用突出部５７の上端部、すなわち、溝５８の底部は底板５５によって閉塞されている。図４に示すように、手かけ用突出部５７は基板５６より上方に突出し、膨出部５９は基板５６より下方に膨出し、溝５８の深さは、手かけ用突出部５７の高さＨ１＋膨出部５９の高さＨ２に設定されている。
【００２１】
基板５６の一方の側面近傍にはネジ孔６０が開口し、他方の側部からは円弧状の突部６２，６４が突出し、これら突部６２，６４に、それぞれネジ孔６６，６８が開口している。この一対の突部６２，６４の間には、溝５８の方向に沿って爪部７０が上方に突出している。
【００２２】
図４に示すように溝５８の深さ方向の傾きは、基板５６の法線方向よりも若干傾斜し、キャビネット１２に取り付けた場合に、左側方側に傾斜する。
【００２３】
なお、金属製のコンプ台２６の左側端部には、溝５８が挿入できる挿入孔７２と爪部７０が係合する係合孔７４が前後方向に開口している。
【００２４】
（３）後手かけ部４８の取り付け方法
後手かけ部４８の取り付け方法について説明する。後手かけ部４８をコンプ台２６に取り付ける場合は、コンプ台２６の下面から挿入孔７２に溝５８を形成する手かけ突出部５７を挿入し、爪部７０を係合孔７４に係合する。その後、ネジ孔６０、６６、６８にネジを螺合して固定する。
【００２５】
この場合に、図４に示すように、溝５８の深さ方向の傾きが、左側方に向かって傾斜している。
【００２６】
これにより、合成樹脂製の後手かけ部４８がコンプ台２６とは別体であるため容易に製造でき、また、コンプ台２６に容易に取り付けることができる。
【００２７】
（４）冷蔵庫１０を運搬する場合
次に、冷蔵庫１０を運搬する場合について説明する。
【００２８】
従来と同様に、冷蔵庫１０の前面を上方にして運ぶ場合、すなわち、冷蔵庫１０を前後倒しで運搬する場合には、２人の作業者のうち１人の作業者が上手かけ部６０，６０を持ち、もう１人の作業者が前手かけ部４２，４２を持って運搬する。
【００２９】
一方、階段などのように、狭い場所では前後倒しでは冷蔵庫１０を運搬できない場合がある。そのときには、図１に示すように、後手かけ部４８（キャビネット１２の左側面）が上になるように冷蔵庫１０を左右倒しする。左右倒しした冷蔵庫１０において、１人の作業者が、キャビネット１２の底面から突出した前キャスター３６と、後手かけ部４８に手を掛けて持ち上げる。もう１人の作業者は、キャビネット１２の天井部の下側を持って運搬する。
【００３０】
この場合に、キャビネット１２の下側を持つ作業者は、前脚３０がキャビネット１２の底面よりも突出しているため、冷蔵庫１０を傾けることなく、キャビネット１２の底面と床との間にできた隙間に左手を入れて、前キャスター３６を支持する支持板３４に左手を掛けることができる。また、後キャスター４６により、キャビネット１２の底面と床との間に隙間があるため、冷蔵庫１０を傾けることなく、この隙間から右手を入れて後手かけ部４８の溝５８に図４に示すように指を挿入できる。このとき、溝５８は左側方に向かって傾斜しているため、指を掛け易い。
【００３１】
このようにすることで、前後倒しの状態だけでなく、左右倒しの状態で冷蔵庫１０を運ぶことができ、冷蔵庫１０の幅が大きくても、容易に運搬を行うことができる。
【００３２】
また、後手かけ部４８の深さがＨ１＋Ｈ２であり、溝５８がコンプ台２６の位置よりも上方に突出した状態であるため溝の深さが深くなり、手で確実に後手かけ部４８を掴むことができる。
【００３３】
（５）変更例
上記実施例では、後手かけ部４８を、左右方向の一方のみに設けたが、これに限らず後手かけ部４８をコンプ台２６の左右両側に設けてもよい。このようにすると、冷蔵庫１０をどちらの側に倒しても持ち運びができる。
【００３４】
（６）他の実施形態
請求項１に係る実施形態の冷蔵庫であると、前脚と、後手かけ部を持つことにより、冷蔵庫を左右倒しの状態で運搬することができる。特に、前脚に手を掛ける場合に、冷蔵庫を傾けることなく、手を挿入できる。また、後手かけ部を底面の左右方向の中心より側方に設けることにより、冷蔵庫の重心とモーメントの関係により、冷蔵庫を容易に持ち上げることができる。
【００３５】
請求項２に係る実施形態の冷蔵庫であると、後手かけ部が前手かけ部より側方に設けられているため、後手かけ部が本体の側部近傍に設けることができる。
【００３６】
請求項３に係る実施形態の冷蔵庫であると、後手かけ部の溝が奥に行くほど側方に傾斜しているため、冷蔵庫を持ち上げたときに手が抜けることなく確実に運搬できる。
【００３７】
請求項４に係る実施形態の冷蔵庫であると、コンプ台とは別の部材で後手かけ部を形成することができ、かつ、その取り付けも容易となる。
【００３８】
請求項５に係る実施形態の冷蔵庫であると、後手かけ部の深さがコンプレッサ台の位置よりも突出した状態であるため、溝の深さを深くすることができ、確実に後手かけ部を掴むことができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１０  冷蔵庫
１２  キャビネット
２４  コンプレッサ
２６  コンプ台
３０  前脚
４８  後手かけ部
５８  溝
【図１】
2012057895.tif 000003
【図２】
2012057895.tif 000004
【図３】
2012057895.tif 000005
【図４】
2012057895.tif 000006
【図５】
2012057895.tif 000007
【図６】
2012057895.tif 000008